(57)【要約】【課題】福祉施設や医療施設における緊急時の避難において、入居者の避難状況や避難方法が施設内外の救助に携わる人たちに分かりやすく、入居者の救助が効率よく行える、簡素な構成の機能性ネームプレートを提供する。【解決手段】入居者の識別情報が表示又は及び内蔵された識別タグ１１と、識別タグ１１を収納し、開閉自在なカバー３を有するケース２と、ケース２の外側に又はケース２から露出して設けられた表札７と、ケース２内に設けられ、カバー３の開閉又は識別タグ１１の有無を検知するスイッチ２３と、スイッチ２３によりカバー３の開放又は識別タグ１１がないことが検知されると点灯するＬＥＤランプ１５とを備えた、居室外に設置される機能性ネームプレート１である。施設の入居者の救助時に、識別タグ１１がケース２内から取り出されるとランプ点灯により周囲に報知されることで、各入居者の救助の有無が容易に把握でき、救助が効率よく行える。【選択図】図２
2018171182.tif 000002
【特許請求の範囲】
【請求項１】
福祉施設又は医療施設に設置される各入居者のネームプレートであって、
前記ネームプレートは入居者の居室外に設置され、
入居者の識別情報が表示又は及び内蔵された識別タグと、
前記識別タグを収納すると共に、識別タグを出し入れするための開閉自在なカバーを有する収納部と、
前記収納部の外側又は収納部から露出して設けられ、入居者の氏名が表示される氏名表示部と、
前記収納部内に設けられ、カバーの開閉又は識別タグの有無を検知する検知部と、
前記検知部によりカバーの開放又は識別タグがないことが検知されると報知する報知部と、
を備えたことを特徴とする機能性ネームプレート。
【請求項２】
前記識別タグは、電源と、電源の回路を入り切りするスイッチと、スイッチが入り操作されると点灯又は点滅する照明部と、を有することを特徴とする請求項１に記載の機能性ネームプレート。
【請求項３】
前記収納部内には、前記識別タグのスイッチ又は電源に接触して回路を遮断する絶縁体が取り付けられ、
前記識別タグのスイッチ又は電源と絶縁体との接触が断たれると回路が通電し、前記照明部が点灯又は点滅する照明部切替機構を有することを特徴とする請求項２に記載の機能性ネームプレート。
【請求項４】
前記報知部は照明灯であることを特徴とする請求項１から請求項３の何れか１項に記載の機能性ネームプレート。
【請求項５】
前記機能性ネームプレートは、収納部内に照明灯の電源を備え、停電時の非常灯としての機能を有することを特徴とする請求項４に記載の機能性ネームプレート。
【請求項６】
前記識別タグの識別情報は、治療や救護の優先度又は救護区分の情報であることを特徴とする請求項１から請求項５の何れか１項に記載の機能性ネームプレート。
【発明の詳細な説明】
【技術分野】
【０００１】
本発明は、福祉施設や、病院や診療所などの医療施設の入居者の居室外側に設置される、入居者の氏名を表示するネームプレートに関する。特に、単なる氏名表示としての機能に留まらず、他の機能も兼ね備えた機能性ネームプレートに関する。
【背景技術】
【０００２】
老人ホーム、ケアハウスなどの高齢者や要介護者の介護施設、障害者施設等（以下、単に福祉施設と言う）や病院や診療所等の医療施設などの介護や看護が必要な人が入居、入院（以下、単に入居と言う）する施設においては、多くの人が入居していること、また不特定多数の人が来訪することなどから、どの部屋にだれが入居しているのかが直ぐに分かるように、各部屋や各階の廊下等に部屋番号とその部屋の入居者の氏名が表示されたネームプレートが設置されている。
【０００３】
従来のネームプレートは、患者や被介護者（以下、単に患者と言う）等の氏名を書いた紙をケースに挿入するといった簡単なものであるが、下記特許文献１には、プライバシー保護のために、表示板に取り付けた名札の表面に偏光フィルムを設けるといった、機能性を持たせたネームプレートも提案されている。また、下記特許文献２に開示されているように、入院や退院等で患者が変わる際に、氏名を変更する手間を省けるように、電子表示板として電子化したネームプレートも設置されつつある。
【０００４】
一方、このような施設では、災害発生時などの緊急時の避難には時間がかかるため、病室外側の入り口に設置されたネームプレートのそばに患者の救護区分等を示す色つきのシールなどを貼って、避難に介助が必要か否かを即時に判断できるようにしている場合がある。例えば、下記特許文献３には、ネームプレートの横に、一般的な救護区分の他に別の指標を用いた複数の救護区分を表示可能とした救護区分表示機能付きネームプレートが開示されている。緊急時には、看護師や医師、職員などの施設の関係者が各病室に赴き、シール等の表示を目印として、救護区分に応じた避難誘導を行うことで、スムーズに避難を行うことができる。
【０００５】
また、下記特許文献２には、病室の出入り口近傍に、患者の氏名等の患者情報を表示する端末ディスプレイ、即ち電子化したネームプレートを設置し、医療従事者が携行するＩＣタグリーダーを端末ディスプレイのＩＣタグ部分にかざすことで、ＩＣタグリーダーのディスプレイに患者の氏名が表示される構成が開示されている。
【０００６】
この特許文献２に記載の構成によれば、ＩＣタグ部分にＩＣタグリーダーをかざす時に、端末ディスプレイ側に設置されたボタンが押されると、ボタン横の表示部の色が白から青に変わることで患者の氏名を確認したことが分かるようになっている。従って、災害時などの停電によって、端末ディスプレイには患者情報が表示されなくても、ＩＣタグリーダーによって患者情報を読み取ることができ、またボタン横の表示部の色の変化から、患者情報を確認済みであることが分かる。
【先行技術文献】
【特許文献】
【０００７】
【特許文献１】特開２００６−２９３２０８号公報
【特許文献２】特開２０１４−２１３１０９号公報
【特許文献３】特開２００９−１３３９８３号公報
【発明の概要】
【発明が解決しようとする課題】
【０００８】
上記のような施設には、多くの看護や介護が必要な人が入居していることから、災害発生時などの緊急時には、避難にも時間がかかる。特に夜間は人手不足となるため、消防職員や近隣住民などの施設外部の人達からの救助を待つことになる。
【０００９】
また、上記のように、ネームプレートのそばのシール等の表示によって避難の優先順位を決め、職員により患者等の入居者を一時避難させることはできるが、その後の搬送、処置などは救助のために集まってきた外部の人たちに頼ることになる。また、全員が避難できたかどうかについても、実際に病室内に入って確認する必要が生じてしまう。
【００１０】
上記特許文献２に記載の構成によれば、停電時でもＩＣタグリーダーによって患者情報を読み取れるが、患者情報の確認はＩＣタグリーダーを持つ医療従事者にしかできないこと、また病院の職員全員が所持しているとも限らないことから、確認が遅れることもある。そして、ＩＣタグリーダーを持たない外部の人が、早く到着して患者を避難させた場合は、患者情報の確認がされていない状態であるため、再度の確認が必要となってしまうなどの問題点がある。
【００１１】
また、患者情報の確認の有無について、ボタン横の表示部の色が変わるだけでは、夜間や煙の発生時や混雑時等には分かりにくい。更に、特許文献２に記載の構成では、患者情報の確認の有無を区別するためのシステムが、ＩＣタグリーダーや制御装置といった複雑なシステム構成となっており、システム自体の大型化や設置コストがかかるといった問題点もある。
【００１２】
そこで、本発明の目的は、福祉施設や医療施設における緊急時の避難において、施設の入居者の避難状況や避難方法が施設内や施設外の救助に携わる人たちに分かりやすく、入居者の救助が効率よく行える、簡素な構成の機能性ネームプレートを提供することである。
【課題を解決するための手段】
【００１３】
請求項１記載の発明は、福祉施設又は医療施設に設置される各入居者のネームプレートであって、前記ネームプレートは入居者の居室外に設置され、入居者の識別情報が表示又は及び内蔵された識別タグと、前記識別タグを収納すると共に、識別タグを出し入れするための開閉自在なカバーを有する収納部と、前記収納部の外側又は収納部から露出して設けられ、入居者の氏名が表示される氏名表示部と、前記収納部内に設けられ、カバーの開閉又は識別タグの有無を検知する検知部と、前記検知部によりカバーの開放又は識別タグがないことが検知されると報知する報知部と、を備えたことを特徴とする機能性ネームプレートである。
請求項２記載の発明は、前記識別タグが、電源と、電源の回路を入り切りするスイッチと、スイッチが入り操作されると点灯又は点滅する照明部と、を有することを特徴とする請求項１記載の機能性ネームプレートである。
請求項３記載の発明は、前記収納部内には、前記識別タグのスイッチ又は電源に接触して回路を遮断する絶縁体が取り付けられ、前記識別タグのスイッチ又は電源と絶縁体との接触が断たれると回路が通電し、前記照明部が点灯又は点滅する照明部切替機構を有することを特徴とする請求項２に記載の機能性ネームプレートである。
請求項４記載の発明は、前記報知部は照明灯であることを特徴とする請求項１から請求項３の何れか１項に記載の機能性ネームプレートである。
請求項５記載の発明は、前記機能性ネームプレートが、収納部内に照明灯の電源を備え、停電時の非常灯としての機能を有することを特徴とする請求項４に記載の機能性ネームプレートである。
請求項６記載の発明は、前記識別タグの識別情報が、治療や救護の優先度又は救護区分の情報であることを特徴とする請求項１から請求項５の何れか１項に記載の機能性ネームプレートである。
【発明の効果】
【００１４】
本発明によれば、福祉施設や医療施設における緊急時の避難において、施設の入居者の避難状況や避難方法が施設内や施設外の救助に携わる人たちにも分かりやすく、施設の入居者の救助が効率よく行える、簡素な構成の機能性ネームプレートを提供できる。即ち、施設の入居者の救助時に、機能性ネームプレートのカバーが開放されたり、各入居者の識別タグが機能性ネームプレートから取り出されたりすると周囲に報知されることで、各入居者の救助の有無が容易に把握できる。また、識別タグの識別情報を参考にして、それぞれの患者の避難誘導や介助が行えるため、施設の入居者の救助がスムーズに行える。
【図面の簡単な説明】
【００１５】
【図１】本発明の第１の実施形態に係る機能性ネームプレートの正面図（通常時）である。
【図２】緊急時における機能性ネームプレートの正面図である。
【図３】緊急時における機能性ネームプレートの背面図である。
【図４】図４Ａは機能性ネームプレートの通常時の右側面図であり、図４Ｂは緊急時の右側面図である。
【図５】本発明の第１の実施形態に係る機能性ネームプレートの分解図である。
【図６】本発明の第１の実施形態に係る機能性ネームプレートのカバー裏側の斜視図である。
【図７】ＬＥＤ基板付近の右側面図（一部断面）である。図７Ａは、通常時における右側面図であり、図７Ｂは、緊急時における右側面図である。
【図８】識別タグの他の例を示した図である。図８Ａは、緊急時の機能性ネームプレートの正面図であり、図８Ｂは、識別タグの正面図である。
【図９】本発明の第２の実施形態に係る機能性ネームプレートの分解図である。
【図１０】本発明の第２の実施形態に係る機能性ネームプレートのカバー裏側の斜視図である。
【図１１】本発明の第２の実施形態に係る機能性ネームプレートの分解背面図である。
【発明を実施するための形態】
【００１６】
以下、本発明を実施するための形態について、図面を参照して詳細に説明する。なお、本発明は、以下に説明する実施形態に限定されるものではない。また、以下の図において、共通する部分には、同一の符号を付しており、同一符号の部分に対して、重複した説明を省略する。
【００１７】
（第１の実施形態）
先ず、本発明の第１の実施形態に係る機能性ネームプレートについて説明する。図１は本発明の第１の実施形態に係る機能性ネームプレート１の正面図であり、通常時のカバー３が閉じた状態を示している。また、図２は、緊急時の機能性ネームプレート１の正面図であり、図３は、背面図である。これら図２及び図３は、カバー３が開いた状態を示している。以後、通常時とはカバー３が閉じた状態を指し、緊急時とはカバー３が開いた状態を指す。また、図４Ａは通常時の右側面図であり、図４Ｂは緊急時の右側面図である。更に、図５は、本発明の第１の実施形態に係る機能性ネームプレート１の分解図であり、図６は、カバー３の裏側の斜視図（一部省略）であり、図７は、ＬＥＤ基板付近の概略図（一部断面を示す右側面図）である。図７Ａは、通常時の状態を示し、図７Ｂは、緊急時の状態を示している。また、図７では、分かりやすいように一部図示を省略し、上側開口部３ａ及び下側開口部３ｂは破線で示している。尚、本明細書中、機能性ネームプレート１の正面側を前、背面側を後ろ、また機能性ネームプレート１を正面からみた場合の左右方向をそれぞれ左、右と言う。
【００１８】
この機能性ネームプレート１は、福祉施設や医療施設などの施設内であって、入居者の居室（病室も含む意である）の外側に設置される。尚、居室には個室の他に多床室も含まれる。例えば、機能性ネームプレート１が、病院や介護施設の入り口近辺やナースステーション、各階の廊下などに、複数個が同じ場所に設置されていても良いし、各居室の入り口廊下側の壁に一つずつ又は複数個ずつ設置されていても良い。２〜３人程度の少人数部屋の場合は、機能性ネームプレート１が各居室の入り口に複数個ずつ、個室の場合は、一つずつ設置されていると、ネームプレートの氏名とその部屋の患者本人との対応が速やかに、また確実に行える。
【００１９】
以下に、機能性ネームプレート１の具体的構成について説明する。機能性ネームプレート１は、患者の識別情報が表示又は及び内蔵された識別タグ１１と、識別タグ１１を収納するケース本体５に、識別タグ１１を出し入れするための開閉自在なカバー３を備えたケース（収納部）２と、ケース２の表面に装着される表札７と、カバー３の開閉を検知する検知スイッチ（検知部）２３（図７）と、検知スイッチ２３によりカバー３の開放が検知されると点灯又は点滅して周囲に報知するＬＥＤランプ（報知部）１５とを備える。即ち、緊急時に機能性ネームプレート１から識別タグ１１を取り出すと、ＬＥＤランプ１５の点灯などの報知機能が働くことで、患者の安全確認の有無が容易に、且つ速やかに判断できる。
【００２０】
機能性ネームプレート１は、大別すると、患者の識別情報が表示又は及び内蔵された識別タグ１１を収納するケース本体５側と、ケース本体５を覆い、ＬＥＤランプ１５が設置されたカバー３側とに分けられる。尚、識別タグ１１がカバー３側に、ＬＥＤランプ１５がケース本体５側に設置されていても良く、ケース２の内部にこれらの部材が収納されていれば良い。また、ケース本体５及びカバー３などの材質は特に限定されることはなく、プラスチック、金属、紙（厚紙）などの一般に使用されている材料で形成される。
【００２１】
［ケース本体５側の構成］
図５及び図７に示すように、ケース本体５の内面中央部には、手前に突出する断面Ｌ字型の突出部材９が固着して設けられている。また、この突出部材９は、その先端側の鉛直部９ａが、カバー３の閉鎖時にカバー上側の開口部３ａに一致するような位置に設けられている。そして、突出部材９の鉛直部９ａは、先端部側が基部側（水平部９ｂ側）よりも手前側に突出する段形状になっており、段部９ａａがカバー上側の開口部３ａの下端に係合している。また、ＬＥＤランプ１５の電源となる電池１７は、ケース本体５の下部に固定具１８により固定されており、電池１７の外側（表側）に識別タグ１１が位置している構成である。尚、電源の他の例としては、キャパシタがある。
【００２２】
［識別タグ１１］
識別タグ１１には、患者の識別情報が表示又は及び内蔵されている。識別情報の例としては、部屋番号の他に個人情報があり、例えば、氏名、血液型、年齢、性別、住所、電話番号、病名、症状、救護区分、トリアージ分類、投薬情報などがある。患者全員が同じ種類の識別情報であっても良いが、症状の重い患者や隔離が必要な患者等には氏名の他に病名も含まれるなど、各患者によって異なる種類の情報であっても良い。
【００２３】
識別タグ１１の材質は特に限定されることはなく、プラスチック、金属、布、紙などの材料で形成される。尚、ゴムなどの弾性体や軟質プラスチックなどの変形可能な素材であると、ケース本体５内に収納しやすいので好ましい。また、蛍光色が付されていたり、蛍光素材で形成されていると、夜間等の暗闇でも分かりやすいので好適である。そして、識別タグ１１の表面（又は裏面）に前記識別情報が文字、絵、記号、色などで表示されていても良いし、識別タグ１１が、ＩＣチップが内蔵されたＩＣタグでも良い。
【００２４】
また、識別タグ１１が袋状や薄型ケースになっていて、識別情報のうち一部（例えば、氏名や部屋番号などの簡易な情報）がケース表面に表示され、一部（例えば、連絡先や病名などの、より個人的な情報）がケース内のＩＣチップに記憶されたようなものでも良い。尚、識別タグ１１が袋状や薄型ケースの場合は、ＩＣチップに限定されず、上記識別情報が表示された紙や板などが内蔵されていても良い。この場合も、識別情報のうち一部がケース表面に表示され、一部がケース内の紙や板などに表示されたものでも良い。そしてこの場合は、ＩＣチップの情報を読み取る場合に比べて専用のリーダーがいらないため、誰でも簡便に識別情報を知ることができる。
【００２５】
［カバー３側の構成］
カバー３には上側に小さな開口部（以下、上側開口部と言う）３ａが設けられ、下側に大きな開口部（以下、下側開口部と言う）３ｂが設けられており、下側開口部３ｂには患者の氏名表示部となる表札７が設置される。表札７の氏名表示には、氏又は名前のみの表示でも良いし、プライバシー保護のために氏名が表示されない場合も含まれる。表札７は、その左右端部に切欠部７ａが形成されており、下側開口部３ｂの左右端部に固着する取付片２５に切欠部７ａを差し込むことで、下側開口部３ｂに着脱可能な構成である。従って、入退院等で患者が変わっても、その部分だけを書き換えたり、取り替えたりすれば良いため、都合が良い。
【００２６】
また、表札７を透明ケースにして紙や板を挿入できるような構成にすれば、氏名を書いた紙や板のみ交換すれば良いため、簡便で且つ経済的である。また表札７をホワイトボードとし、専用のペンにより氏名を書き換えるようにしても良い。尚、下側開口部３ｂは必ずしも設置する必要はなく、この部分が壁となっていても良い。例えば、カバー３の表面に名札ホルダーを取り付けたり、カバー３の表面に直接氏名を書いたり、氏名を書いた紙や板を張ったり、留めたりしても良い。また、表札７は、ケース２の外側から氏名が認識されれば良いため、ケース本体５側に設けられていても良い。
【００２７】
［ＬＥＤランプ１５］
そして、カバー３の上側開口部３ａの内側には、ＬＥＤランプ１５が３灯設置されたＬＥＤ基板１３が支持片２１により内側に突出して設けられている。ＬＥＤランプ１５の数は特に限定されないが、複数あることで光量を確保でき、周囲を明るく照らすことが可能となる。また、ＬＥＤランプ１５の色も、白、赤、青、緑など特に限定されないが、遠くからでも分かりやすいこと、通常の室内照明や廊下灯とは異なること、また安全確認のための報知機能を有するものであることなどから、信号機等で使用される緑色が好ましい。尚、前記電池１７はカバー３の下側開口部３ｂの上部又は下部に取り付けられていても良い。電池１７とＬＥＤ基板１３の両方がカバー３側に装着している場合は、回路が短くなるのでコンパクトな構成となる。
【００２８】
［組み立て］
これらの部材の組み立ては以下のように行う。カバー３の下側開口部３ｂに表札７を取り付け、ケース本体５に電池１７を固定具１８に押し込んで装着し、識別タグ１１を電池１７の手前に収納する。そして、カバー３裏面の左右下端に固着するつば１９（図３）をケース本体５の上側から挿入する。具体的には、つば１９の切欠部１９ａと当該切欠部１９ａの上側に連続する断面Ｕ字型の係合部１９ｂをケース本体５の左右両端に形成されるガイドレール５ａに嵌め入れ、下方にスライドさせることで図１の状態になる。つば１９がない場合、ケース本体５とカバー３間の外部に通じる下端部の隙間から埃等の異物が入ることも想定されるが、つば１９があることで、蓋の役目を果たし、下方からの異物の侵入を防止することができる。
【００２９】
そして、この状態では、図７Ａに示すように、ＬＥＤ基板１３は突出部材９の内側に収まり、ＬＥＤランプ１５がケース２の外側からは突出部材９の鉛直部９ａに隠れて見えないようになっている。尚、表札７は組み立て後に設置しても良い。また、電池１７を使用せず、外部電源を使用する構成としても良い。
【００３０】
そして、図４に示すように、ケース本体５の厚さ幅Ｗ（ガイドレール５ａと背面間の距離）は上方ほど広くなる構成であり、機能性ネームプレート１を壁に真っ直ぐ立てて取り付けた時に、ガイドレール５ａが側面視で後方下り傾斜姿勢となる。従って、組み立て時にカバー３をガイドレール５ａに沿って奥へと下ろすことで、鉛直部９ａの段部９ａａが上側開口部３ａの下端に係合し、カバー３が最下降位置でロックされる。反対に、カバー３の開放時には、カバー３を手前側に引くことで鉛直部９ａの段部９ａａと開口部３ａとの係合が解除され、カバー３の閉鎖時よりも、カバー３が手前側に長さＬだけ突出した状態となる。本構成により、カバー３の開閉動作をスムーズに行うことができる。
【００３１】
［通常時］
通常時では、図７に示すように、ＬＥＤ基板１３は上側開口部３ａの奥に、上側開口部３ａから空間部を隔てて設置されているため、カバー３をケース本体５に取り付けると、ＬＥＤ基板１３がちょうど突出部材９の内側に挿入されて突出部材９の水平部９ｂにあたり、突出部材９により下方から支持された状態となる。従って、カバー３がケース本体５に安定して支持される。また、この時、突出部材９はカバー３の下方への動きを阻止するストッパとしても機能する。
【００３２】
そして、この状態では、ＬＥＤ基板１３が最下降位置にあり、ＬＥＤ基板１３下の検知スイッチ（センサ）２３は突出部材９の水平部９ｂに当たることで、オフ状態（スイッチはオンとなるが回路は遮断状態、すなわちオフ）となる。この検知スイッチ２３は、Ｂ接点端子のスイッチであり、検知スイッチ２３のオン時にＬＥＤランプ１５が消灯（オフ）、検知スイッチ２３のオフ時にＬＥＤランプ１５が点灯（オン）する。尚、点灯に限らず、点滅する状態でも良い。従って、通常時はＬＥＤランプ１５がケース２の外側からは隠れて見えず、且つＬＥＤランプ１５は消灯した状態であり、機能性ネームプレート１は単に氏名表示機能としての働きに留まる。
【００３３】
［緊急時］
そして、災害発生時や事件発生時等の緊急時には、施設内の医師、看護師、職員等が、カバー３を上げて、ケース本体５内に収納される識別タグ１１を取り出し、居室内に入って、患者の腕や服に装着したり、患者本人に持たせたりする。そして、識別タグ１１の識別情報を参考にして、それぞれの患者の症状等に適した避難（例えば、車椅子を押す、手を引くなど）を行う。カバー３が上方に開放されると検知スイッチ２３がオフとなり、ＬＥＤランプ１５が点灯することで周囲に報知されるため、夜間の暗闇の中でも、また煙の発生時や混雑時等においても、各患者の避難の有無が、救助に来た人たちにも容易に分かる。また、全員が避難できたかどうかなど、避難や救助の状況も、実際に居室内に入ることなく確認できる。尚、機能性ネームプレート１が、各居室の入り口に、略等間隔に設置されていると、ＬＥＤランプ１５の点灯の有無が分かりやすい。従って、患者の救助を速やかに行うことができる。
【００３４】
そして、各患者が部屋番号、氏名、血液型、年齢などの情報を表示又は及び内蔵した識別タグ１１を所持していることから、消防職員や近隣住民などの施設外部の人達にも容易に各患者を特定できる。また、識別情報が病名、症状等の場合は、施設内や施設外等の安全な場所に誘導された患者を更に他の病院等に搬送したり、何らかの処置を施したりする必要があるかどうかについても、判断できる。この判断は、消防職員や近隣住民などの施設外部の人達にも容易にできる。
【００３５】
例えば、識別タグ１１がトリアージ分類（赤、黄色、緑などの色で治療や救護の優先度を表す標識である）を示したトリアージタグであると、一時避難（最初に行われる施設内又は施設外への安全な場所への誘導）後の二次避難（他病院への搬送、症状に応じた処置や介助等）の判断も速やかにできる。トリアージタグは、主に災害現場で使用されるもので、傷病者の緊急度や重症度に応じて適切な処置や搬送を行うため、救助に携わる外部の人たちにも分かるように傷病者に巻くものである。トリアージタグは、病院の救急部門には置いてあるものであるが、各患者用に置いてあるものではない。
【００３６】
しかし、各患者の機能性ネームプレート１の中にトリアージタグをそれぞれ収納することで、一般の施設でも緊急時に使用できる。即ち、各患者の身体状況からトリアージ分類を設定し、このトリアージ分類から治療や救護の優先度の高い人の場合は複数人で介助し、優先度の低い人には介助者一人で複数人を誘導するなど、優先度に応じて避難時の行動を適宜決定できる。
【００３７】
また、トリアージ分類の仕様を避難時の救護区分に置き換え、赤が担送（避難にストレッチャーなどの搬送具が必要な状態、即ち動けない状態であって複数人の介助が必要）、黄色が護送（自力歩行はできないが、車椅子で避難可能な状態、即ち多少は動ける状態で一人の介助で足りる）、緑が独歩（自力歩行ができる状態、即ち一人で複数人を介助できる）などに分けることができる。このように分類することで、一時避難時や二次避難時において、施設内や施設外の救助に携わる人たちにも、救助方法やその後の行動の判断がし易くなる。
【００３８】
尚、救護区分としては、上記の他に、ＭＥ（Medical-Electronics）機器（人工呼吸器、血液浄化装置等）の使用状況や、食事の状況（絶食、特別食、粥食、通常食）など一時避難や二次避難の際の行動決定につき判断材料や参考となる患者の身体状況の情報が含まれる。基本的には、救護区分は避難時の救護手段、避難方法を決めるための身体レベルの選定、選別であって、具体的な行動の例としては、一時避難後の二次避難に関し、赤は医療施設に搬送、黄色は福祉施設で待機、緑は福祉施設で待機又は二次避難所への移動などが想定される。
【００３９】
［識別タグの他の例］
図８には、電源を備えた識別タグ３１の例を示す。識別タグ３１は、乾電池やボタン電池３３などの電源と、電源の回路を入り切りするスイッチ３７と、ＬＥＤランプ（照明部）３５などの照明を備えたものでも良い。尚、照明は、白熱灯や蛍光灯などの他の照明灯でも良い。この場合、スイッチ３７を入り切りすることで、ＬＥＤランプ３５が点灯（又は点滅でも良い）又は消灯するため、夜間でもスイッチ３７を入りにしてＬＥＤランプ３５を点灯させることで識別情報が分かりやすくなる。使用方法としては、機能性ネームプレート１から識別タグ３１を取り出して、スイッチ３７を押して入りにし、患者の腕や服に装着する。この時ＬＥＤランプ３５が点灯していることから、暗闇でも患者の位置が分かるため、速やかに且つ安全に避難させることができる。
【００４０】
例えば、ケース本体５内にピン２７で絶縁タブ（絶縁体）３９を取り付け、絶縁タブ３９の先端を、袋状（薄型ケースでも良い）の識別タグ３１内に挿入してセットする。絶縁タブ３９の材料としては絶縁物であれば良く、ガラス、紙、プラスチックなどがあり、特に限定されないが、プラスチックフィルムであると、軽く丈夫で変形しやすいことなどから好ましい。尚、必ずしも絶縁タブとする必要はないが、絶縁タブの場合は、絶縁タブ３９の先端が識別タグ３１のボタン電池３３に接触していると、ボタン電池３３の消耗が抑えられるので好ましい。そして、緊急時にカバー３を開けた際に識別タグ３１が露出するが、図８に示すように、絶縁タブ３９の先端が識別タグ３１内に挿入されていると、識別タグ３１が絶縁タブ３９に引っ掛かることで識別タグ３１の落下を防止できる。尚、電源を備えていない識別タグ１１の場合でも、絶縁タブ３９又は絶縁物ではないタブを上述のように使用することで、カバー３の開放時の識別タグ１１の落下を防止できる。
【００４１】
また、識別タグ３１を取り出すと同時に、又はカバー３を開けると同時に、識別タグ３１のＬＥＤランプ３５が点灯又は点滅する構成としても良い。例えば、通常オン時（ランプ点灯）の回路に絶縁タブ３９により遮断状態（ランプ消灯）とし、カバー３を開けて識別タグ３１を取り出すと、絶縁タブ３９が外れて回路が接続されることで通電状態となり、ＬＥＤランプ３５が点灯又は点滅する構成（照明部切替機構）である。
【００４２】
識別タグ３１を取り出すと同時に、識別タグ３１のＬＥＤランプ３５が点灯する具体例としては、以下が挙げられる。識別タグ３１のスイッチ３７に絶縁タブ３９を接触させて回路を遮断状態とし、識別タグ３１を取り出すことでスイッチ３７と絶縁タブ３９との接触が断たれると通電状態となって、ＬＥＤランプ３５が点灯する構成である。
【００４３】
カバー３を開けると同時に、識別タグ３１のＬＥＤランプ３５が点灯する具体例としては、以下が挙げられる。絶縁タブ３９をピン２７でカバー３側に取り付けて、スイッチ３７が入り状態の回路の乾電池やボタン電池３３に絶縁タブ３９を接触させて回路を遮断状態とする。そして、カバー３の開放時に絶縁タブ３９が識別タグ３１から外れて乾電池やボタン電池３３と絶縁タブ３９との接触が断たれると通電状態となり、ＬＥＤランプ３５が点灯する構成である。
【００４４】
このように、識別タグ３１を取り出すと、又はカバー３を開けると、ＬＥＤランプ３５が点灯することで、夜間の暗闇などで識別タグ３１を落とした場合でも、光っているため直ぐに分かる。また、識別タグ３１を取り出した際に既に光っていることから、何らスイッチ操作することなくそのまま患者に装着すれば良いので簡便である。
【００４５】
［その他の報知例］
また、本実施形態では、機能性ネームプレート１の報知手段として、ＬＥＤランプ１５による照明灯の報知例を示したが、音声やブザーなどの聴覚により認識される報知や、ＬＥＤランプ以外の視覚により認識される報知でも良い。例えば白熱灯や蛍光灯などの他の照明灯の光による報知がある。また、ブザーなどの聴覚により認識される報知の場合、煙などで周囲が見えにくい場合でも、患者の安全確認の有無が容易に、且つ速やかに判断できる。
【００４６】
また、カバー３の開閉を検知する検知スイッチ２３が、識別タグ１１，３１の収納の有無を検知するスイッチであっても良い。例えば、検知スイッチ２３をカバー３側ではなく、ケース本体５側に設置し、突出部材９ではなく識別タグ１１，３１に当たるように、即ち検知スイッチ２３がオンとなる状態（ＬＥＤランプ１５はオフ）にセットする。この場合に識別タグ１１，３１を取り出すと、検知スイッチ２３がオフとなり、機能性ネームプレート１のＬＥＤランプ１５が点灯する。又は、識別タグ１１，３１に絶縁タブ（図示せず）を取り付け、当該絶縁タブをＬＥＤランプ１５やブザー等の回路に設置して、回路を遮断状態とする。この場合に識別タグ１１が取り出されると、絶縁タブも一緒に取り出されることから、回路が接続され、機能性ネームプレート１のＬＥＤランプ１５が点灯したり、ブザーが鳴ったりする（回路が通電状態）。以上の識別タグの他の例やその他の報知例は、他の実施形態にも共通する。
【００４７】
本実施形態の機能性ネームプレート１によれば、施設における緊急時の避難において、機能性ネームプレート１のカバー３を開けて識別タグ１１を取り出すと、ＬＥＤランプ１５が点灯する等の報知機能が働く。従って、患者の安全確認の有無が、施設内や施設外の救助に携わる人たちにも容易に行えると共に、容易に分かるため、患者の救助が効率よく行える。また、機能性ネームプレート１のカバー３を開けると、ＬＥＤランプ１５が点灯することから、ＬＥＤランプ１５の電源が電池の場合は、機能性ネームプレート１が停電時の非常灯としても機能する。報知手段がＬＥＤランプの場合は、輝度や光量もあり、かなり明るく日中でも見やすくなる。また、周囲が暗い場合は、一般的な非常灯よりも明るくなる。これらの効果は、後述する他の実施形態にも共通する。
【００４８】
（第２の実施形態）
図９には、本発明の第２の実施形態に係る機能性ネームプレートの分解図を示し、図１０は、カバー裏側の斜視図（一部省略）を示し、図１１には、機能性ネームプレートの分解背面図（簡略図）を示す。尚、図１１の丸枠Ｘには、係合部材４５の平面図を示している。これらの図では、図１等に示す機能性ネームプレート１のカバー３裏面下端部のつば１９がなく、その代わりにケース本体５側の左右外側端部にカバー３の下端を受ける受け具４３が設置されている。受け具４３により、ケース本体５とカバー３間の外部に通じる下端部の隙間をなくすことで、埃等の異物が入ること防止できる。また、カバー３裏面に、当該カバー３裏面から突出し、ケース本体５のガイドレール５ａに係合する断面Ｕ字型の係合部材４５を設けている。係合部材４５はつば１９の係合部１９ｂと同じ形状としても良い。そして、本実施形態に係る機能性ネームプレート４１は、上記の点で第１の実施形態に示す機能性ネームプレート１の構成とは異なるが、それ以外の構成は同様であるため、共通部分の説明は省略する。
【００４９】
本実施形態の機能性ネームプレート４１の場合も、第１の実施形態の場合と同様に、部材の組み立てを行う。即ち、カバー３の下側開口部３ｂに表札７を取り付け、ケース本体５に電池１７を固定具１８に押し込んで装着し、識別タグ１１を電池１７の手前に収納する。そして、カバー３裏面の左右に固着する係合部材４５をケース本体５のガイドレール５ａに嵌め入れ、カバー３の下端がケース本体５側の受け具４３に当たるまで下方にスライドさせる。尚、表札７は組み立て後に設置しても良い。
【００５０】
本実施形態の機能性ネームプレート４１の場合は、ケース本体５のガイドレール５ａに嵌める係合部材４５とカバー３の下端を受ける受け具４３とを別に設けている。従って、第１の実施形態に示す機能性ネームプレート１に比べて、部品点数が増えるものの、本実施形態によっても、第１の実施形態と同様の効果を奏することができる。また、ケース本体５側に受け具４３を設けずに、カバー３裏面に係合部材４５のみ設ける構成とすれば、部品点数も減り、簡素な構成となる。小規模な施設や人の出入りが少ないような環境、クリーンな埃等が少ない環境で使用する場合は、このような構成でも十分であり、コスト低減にもなる。
【産業上の利用可能性】
【００５１】
社会福祉施設や病院などの医療施設に設置されるネームプレートとして利用可能性がある。
【符号の説明】
【００５２】
１，４１  機能性ネームプレート
２  ケース
３  カバー
５  ケース本体
７  表札
９  突出部材
１１，３１  識別タグ
１３  ＬＥＤ基板
１５，３５  ＬＥＤランプ
１７  電池
１８  固定具
１９  つば
２１  支持片
２３  検知スイッチ
２５  取付片
２７  ピン
３３  ボタン電池
３７  スイッチ
３９  絶縁タブ
４３  受け具
４５  係合部材
【図１】
2018171182.tif 000003
【図２】
2018171182.tif 000004
【図３】
2018171182.tif 000005
【図４】
2018171182.tif 000006
【図５】
2018171182.tif 000007
【図６】
2018171182.tif 000008
【図７】
2018171182.tif 000009
【図８】
2018171182.tif 000010
【図９】
2018171182.tif 000011
【図１０】
2018171182.tif 000012
【図１１】
2018171182.tif 000013